(57)【要約】【課題】本発明は、小型化を確保しながら、混色性が良好で、外部（大気中）に対する光取り出し効率が高く、高光度のＬＥＤ装置を提供する。【解決手段】複数の分離したリードフレーム２を高反射率を有する白色樹脂からなる反射枠１にインサート成形してＬＥＤ装置のパッケージを形成する。反射枠１には上方に向かって開いた内周面７を有するキャビティ８と、前記キャビティ８内に、分離した２つのリードフレーム２の夫々を底面とする円筒形状の外壁９を有するカップ１１を形成している。そして、各カップ１１の底面に位置するリードフレーム２上に赤色ＬＥＤチップ３と緑色ＬＥＤチップ４とを接着固定し、各ＬＥＤチップ３、４の下側電極とリードフレーム２とを１対１で電気的に導通させ、各ＬＥＤチップ３、４の夫々の上側電極をボンディングワイヤ５を介してリードフレーム２と１対１で電気的に導通させ、キャビティ８内に透光性樹脂６を充填した。【選択図】  図２
2006093435.tif 000002
【特許請求の範囲】
【請求項１】
リードフレームが樹脂材料によりインサート成形された反射枠と、
前記反射枠に形成されたキャビティと、
前記キャビティ内に形成された、ＬＥＤチップを独立して包囲した複数のカップとを有し、
前記カップの外壁は前記反射枠と同一樹脂材料によって前記反射枠と一体に形成され、前記キャビティ内は透光性樹脂が充填されていることを特徴とするＬＥＤ装置。
【請求項２】
前記外壁で包囲された、ＬＥＤチップが搭載される空間形状は略円柱形状であることを特徴とする請求項１に記載のＬＥＤ装置。
【請求項３】
前記樹脂材料は高反射率を有する白色樹脂であることを特徴とする請求項１又は２の何れか１項に記載のＬＥＤ装置。
【請求項４】
前記ＬＥＤチップは、光源色が互いに異なる２種類以上のＬＥＤチップの組み合わせであることを特徴とする請求項１〜３の何れか１項に記載のＬＥＤ装置。
【請求項５】
前記各ＬＥＤチップの上方には該ＬＥＤチップの光軸を実質的に一致させて凸形状のレンズが形成されていることを特徴とする請求項１〜４の何れか１項に記載のＬＥＤ装置。
【発明の詳細な説明】
【技術分野】
【０００１】
本発明はＬＥＤ装置に関するものであり、詳しくは光源色の互いに異なる２種類以上のＬＥＤチップを組み合わせて光源とし、夫々のＬＥＤチップから発せられる光を混合して所望する色調の光を得ることができるＬＥＤ装置に関する。
【背景技術】
【０００２】
ＬＥＤチップの発光スペクトルは急峻な立ち上がり及び立ち下りを有しており、概略スペクトル分布のピーク発光波長に相当する色調の光源色となる。このような光学特性を有するＬＥＤ光源から光源色とは異なる色調の光を得るには、一般的には、光源色の互いに異なる２種類以上のＬＥＤチップを組み合わせて光源とし、夫々のＬＥＤチップから発せられる光を混合して所望する色調の光を得る方法が採られる。
【０００３】
上述のＬＥＤ装置の従来例としては、図９に示すものがある。これは砲弾型とも呼ばれるものであって、先端部に内周面を反射面とする凹形状のカップが形成された３本のリードフレーム５１Ｒ、５１Ｇ、５１Ｂと先端部が平面の３本のリードフレーム５２Ｒ、５２Ｇ、５２Ｂとが相互に所定の間隔を保って平行に配置されている。
【０００４】
３本のリードフレーム５１Ｒ、５１Ｇ、５１Ｂの夫々のカップの底面には光源色が夫々赤色、緑色及び青色の赤色ＬＥＤチップ５３Ｒ、緑色ＬＥＤチップ５３Ｇ及び青色ＬＥＤチップ５３Ｂが搭載され、赤色ＬＥＤチップ５３Ｒの下側電極と赤色ＬＥＤチップ５３Ｒを搭載したリードフレーム５１Ｒとが電気的に導通されている。一方、赤色ＬＥＤチップ５３Ｒの上側電極は先端部が平面のリードフレーム５２Ｒの前記先端部とボンディングワイヤを介して接続され、電気的に導通されている。
【０００５】
また、緑色ＬＥＤチップ５３Ｇ及び青色ＬＥＤチップ５３Ｂの夫々のＬＥＤチップの上側に形成された一対の電極の一方は夫々のＬＥＤチップが搭載されたリードフレーム５１Ｇ、５１Ｂにボンディングワイヤを介して接続され、電気的に導通されている。一方、緑色ＬＥＤチップ５３Ｇ及び青色ＬＥＤチップ５３Ｂの夫々のＬＥＤチップの上側に形成された一対の電極の他方は夫々の先端部が平面のリードフレーム５２Ｇ、５２Ｂの前記先端部とボンディングワイヤを介して接続され、電気的に導通されている。
【０００６】
そして、全てのリードフレーム５１Ｒ、５１Ｇ、５１Ｂ、５２Ｒ、５２Ｇ、５２Ｂの先端部が透光性樹脂によって封止され、赤色ＬＥＤチップ５３Ｒ、緑色ＬＥＤチップ５３Ｇ及び青色ＬＥＤチップ５３Ｂ並びにボンディングワイヤが封止樹脂５４によって保護されている。このとき、封止樹脂５４の光出射面には赤色ＬＥＤチップ５３Ｒ、緑色ＬＥＤチップ５３Ｇ及び青色ＬＥＤチップ５３Ｂと実質的に光軸を一致させた３つの半橢球形状の凸レンズ５５が形成されている。
【０００７】
このとき、各ＬＥＤチップから発せられた赤色光、緑色光及び青色光の夫々について、一部は封止樹脂の透光性樹脂内を導光されて光出射面である半橢球形状の凸レンズに直接向かい、一部はＬＥＤチップが搭載されたリードフレームのカップの内周面で反射されて反射光が透光性樹脂内を導光されて凸レンズに向かう。これら２つの光路を辿って凸レンズに至った光は、光出射面の凸レンズで所定の指向性が得られるように配光されて外部（大気中）に出射される。
【０００８】
そして、各凸レンズの光出射面から出射された、光の３原色である赤色光、緑色光及び青色光は混合されて白色光を形成するものである。なお、赤色ＬＥＤチップ、緑色ＬＥＤチップ及び青色ＬＥＤチップの各ＬＥＤチップから出射される光の量を選択的に制御（滅灯を含む）して混合することにより、各ＬＥＤチップの光源色及び白色光を含む実質的に全色の光を得ることができる（例えば、特許文献１参照。）。
【特許文献１】特開平１０−１７３２４２号公報
【発明の開示】
【発明が解決しようとする課題】
【０００９】
ところで、近年の電子機器の小型・薄型化及び低価格化に伴なって、電子機器に内蔵される電子部品搭載基板に対しても同様の要件が求められるようになってきた。そのために、電子機器搭載基板に使用されるプリント基板は、配線パターンをプリント基板の一方の面にのみ形成した片面基板とされ、搭載部品を片面に集約して配置するようになっている。そして、表面実装型電子部品を片面基板の配線パターンが形成された同一の面に実装することによって、電子部品搭載基板の高さの低下及び低コスト化を実現しようとするものである。
【００１０】
それに対し、上述の従来のＬＥＤ装置は、片面基板上に実装された表面実装型電子部品と同一面に搭載させることはできない。そのため、従来のＬＥＤ装置と表面実装型電子部品とを混在させてプリント基板に搭載するためには、プリント基板の両面に配線パターンを形成した両面基板を使用し、両面基板の表面実装型電子部品が搭載された面とは反対の面にＬＥＤ装置を搭載しなければならない。
【００１１】
よって、電子部品搭載基板の高さが高くなると共に、プリント基板のコストアップによって電子部品搭載基板のコストも上昇し、上記要件に対して逆行する結果を生じるものである。
【００１２】
そこで、電子機器の小型・薄型化及び低価格化を実現させるために、上記従来の砲弾型ＬＥＤ装置と同様の光学作用を有する図１０及び図１１に示すような表面実装型のＬＥＤ装置が一般的に用いられている。
【００１３】
図１０で示す従来の表面実装型のＬＥＤ装置は、ＬＥＤチップ６１を搭載する複数の凹形状のカップ６２が形成されたリードフレーム６３が高反射率を有する白色樹脂でインサート成形されており、前記カップの上方には内周面が上方に向かって開いた凹形状のキャビティ６６が設けられた反射枠６４を有するパッケージを構成している。
【００１４】
そして、各カップ６２内に図示しない導電性部材を介してＬＥＤチップ６１が固定され、ＬＥＤチップ６１の下側電極とＬＥＤチップ６１を搭載したリードフレーム６３とが電気的に導通されている。また、ＬＥＤチップ６１の上側電極はカップ６２が形成されたリードフレーム６３とは分離したリードフレーム６３′とボンディングワイヤ６５を介して接続され、電気的に導通されている。
【００１５】
更に、キャビティ６６内及び各カップ６２とＬＥＤチップ６１との隙間に透光性樹脂６７が充填され、ＬＥＤチップ６１とボンディングワイヤ６５とが封止樹脂によって保護されている。また同時に、封止樹脂の光出射面には各ＬＥＤチップ６１と実質的に光軸を一致させた凸形状のレンズ６８が一体に形成されている。
【００１６】
また、図１１で示す従来の他の表面実装型のＬＥＤ装置は、上記図１０で示したＬＥＤ装置のリードフレーム６３の下方にある白色樹脂を取り除いた構成となっている。つまり、リードフレーム６３より上方は図１０に示すＬＥＤ装置と同様の構成、同様の光学作用を示すものである。
【００１７】
ところで、上記の表面実装型ＬＥＤ装置に使用されるリードフレームは、一般的には金属の平板をプレス金型でプレス抜きして作成されるものである。そのとき、金型の構造上、隣接するカップ間の最短の間隔はリードフレームの厚みによって決まる。よって、各カップに搭載された互いに隣接するＬＥＤチップの最短距離にはリードフレームの厚みによる限界が存在する。
【００１８】
従って、各カップに光源色の互いに異なる複数のＬＥＤチップを搭載して各ＬＥＤチップの夫々から発せられる光を混合する場合、ＬＥＤチップの相互の距離を十分に近づけることができないために、光の混合が不十分で混色性に劣るＬＥＤ装置となってしまう。
【００１９】
また、カップ間の間隔に対する一定の制約がＬＥＤ装置の小型化にも影響を与え、小型化が不十分なものとなってしまう。
【００２０】
また、リードフレームが金属平板のプレス抜きによって作製されるために、金属板の硬さ等の物性や厚み等の特性によってカップの内径や深さ等を含めたリードフレームの形状に制約が加えられる。そのため、ＬＥＤ装置に関する光学設計の自由度が妨げられ、光学的及び構造的に理想とする最良の製品を作り上げることができないことになる。
【００２１】
更に、金属平板からなる極めて幅の狭い回路パターンにカップを一体に形成することは非常に困難な作業であり、複雑なプレス金型による金型製作費の上昇及び不十分な寸法精度によって製造コストの上昇及び品質の低下を招くことになる。
【００２２】
そこで、本発明は上記問題に鑑みて創案なされたもので、混色性が良好で、外部（大気中）に対する光取り出し効率が良好で光度が高く、小型化が可能なＬＥＤ装置を提供する。
【課題を解決するための手段】
【００２３】
上記課題を解決するために、本発明の請求項１に記載された発明は、
リードフレームが樹脂材料によりインサート成形された反射枠と、
前記反射枠に形成されたキャビティと、
前記キャビティ内に形成された、ＬＥＤチップを独立して包囲した複数のカップとを有し、
前記カップの外壁は前記反射枠と同一樹脂材料によって前記反射枠と一体に形成され、前記キャビティ内は透光性樹脂が充填されていることを特徴とするものである。
【００２４】
また、本発明の請求項２に記載された発明は、請求項１において、前記外壁で包囲された、ＬＥＤチップが搭載される空間形状は略円柱形状であることを特徴とするものである。
【００２５】
また、本発明の請求項３に記載された発明は、請求項１又は２の何れか１項において、前記樹脂材料は高反射率を有する白色樹脂であることを特徴とするものである。
【００２６】
また、本発明の請求項４に記載された発明は、請求項１〜３の何れか１項において、前記ＬＥＤチップは、光源色が互いに異なる２種類以上のＬＥＤチップの組み合わせであることを特徴とするものである。
【００２７】
また、本発明の請求項５に記載された発明は、請求項１〜４の何れか１項において、前記各ＬＥＤチップの上方には該ＬＥＤチップの光軸を実質的に一致させて凸形状のレンズが形成されていることを特徴とするものである。
【発明の効果】
【００２８】
本発明のＬＥＤ装置では、反射枠に形成されたキャビティの内部に反射枠を形成する樹脂と同一の樹脂で反射枠と一体に複数のカップを形成し、前記夫々のカップ内に光源色の異なるＬＥＤチップを搭載してＬＥＤチップから発せられる光を狭い空間内に閉じ込め、そしてこの光が大きく拡散する前に光出射面となる凸レンズに至るようにしている。
【００２９】
従って、凸レンズに至った光は狭い範囲内に存在するために比較的緩やかな集光で外部に出射される光を効率的に集めることができる。そのため、凸レンズの曲率が小さくても集光効果が十分発揮されることになり、高さの低いＬＥＤ装置を実現することができる。
【００３０】
また、隣接するカップ間の距離を従来よりも短くできるためにＬＥＤ装置の小型化が可能となり、ＬＥＤ装置を実装する機器の小型化に寄与するものである。
【００３１】
また同様に、隣接するＬＥＤチップの間隔を短くできるために、互いに異なる複数の光源色のＬＥＤチップを搭載して光源とする場合、各ＬＥＤチップから発せられる光の混合が良好に行なわれ、混色性に優れたＬＥＤ装置となるものである。
【００３２】
また、各ＬＥＤチップの上方に形成される凸レンズの形状を制御することにより、レンズの出射面から出射される光の集光度を自由に設定することができる。これは、ＬＥＤ装置から出射される光の配光を自由に制御することが可能であることを意味する。
【００３３】
更に、カップを構成する外壁は成形時に形成する。そのため、成形金型に加工を施すことによってカップの形状を制約なく自由に設定することができる。従って、カップの形状による配光設定の自由度が大きく、ＬＥＤチップから発せられて凸レンズに至る光の配光を理想的な形で実現することができる。
【００３４】
その結果、ＬＥＤ装置を観視する距離や方向、ＬＥＤ装置で照明する物体の形状や大きさ等、ＬＥＤ装置の使用条件、使用環境を考慮した最適の配光特性を簡単に実現することができる。などの利点を有する。
【発明を実施するための最良の形態】
【００３５】
以下、この発明の好適な実施形態を図１から図８を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００３６】
図１は本発明に係わるＬＥＤ装置の実施形態を示す上面図、図２は図１のＡ−Ａ断面図である。本実施形態は表面実装型と呼ばれるＬＥＤ装置であり、その構成は反射枠１、リードフレーム２、赤色ＬＥＤチップ３、緑色ＬＥＤチップ４、ボンディングワイヤ５、透光性樹脂６からなっている。
【００３７】
そしてこれら構成要素からなるＬＥＤ装置の構造は以下の通りである。複数の分離したリードフレーム２が白色で高反射率を有する白色樹脂からなる反射枠１にインサート成形されて表面実装型ＬＥＤ装置のパッケージが形成されている。このとき、反射枠１には上方に向かって開いた内周面７を有するキャビティ８と、前記キャビティ８内に、分離した２つのリードフレーム２の夫々を底面とする円筒形状の外壁９部を有するカップ１１が形成されている。
【００３８】
そして、各円筒形状の外壁９内の底面に位置するリードフレーム２上に赤色ＬＥＤチップ３と緑色ＬＥＤチップ４とが図示止しない導電性部材を介して接着固定され、各ＬＥＤチップ３、４の下側電極とリードフレーム２とが１対１で電気的に導通されている。
【００３９】
一方、赤色ＬＥＤチップ３と緑色ＬＥＤチップ４との夫々の上側電極はボンディングワイヤ５を介してリードフレーム２と１対１で電気的に導通されている。
【００４０】
更に、キャビティ８内に透光性樹脂６が充填され、赤色ＬＥＤチップ３及び緑色ＬＥＤチップ４並びにボンディングワイヤ５が樹脂封止によって保護されている。このとき、封止樹脂の光出射面には各ＬＥＤチップ３、４と光軸を実質的に一致させた２つの凸レンズ１０が形成されている。
【００４１】
このような構造のＬＥＤ装置における光学系は次のようになる。各ＬＥＤチップ３、４から発せられた緑色光及び赤色光の夫々について、一部は透光性樹脂６内を導光されて光出射面である凸レンズ１０に直接向かい、一部はキャビティ８の内周面７で反射されて反射光が透光性樹脂６内を導光されて凸レンズ１０に向かう。これら２つの光路を辿って凸レンズ１０に至った光は、光出射面の凸レンズ１０で所定の指向性が得られるように配光されて外部（大気中）に出射される。
【００４２】
この場合、各ＬＥＤチップ３、４から発せられた光の多くは夫々の円筒形状の外壁９で包囲された狭いカップ１１内に閉じ込められ、その狭い範囲に閉じ込められた光が大きく拡散する前に光出射面となる凸レンズ１０に達するようになっている。
【００４３】
その結果、各ＬＥＤチップ３、４から発せられた光のうちの多くは直接凸レンズ１０に至り、凸レンズ１０で所定の指向性が得られるように配光されて外部に出射される。従って、ＬＥＤチップから発せられた光の外部への光取り出し効率が良好で、光度の高いＬＥＤ装置が実現できる。
【００４４】
図３は本実施形態の製造プロセスを示した工程図である。金属の平板をプレス金型でプレス抜きしたリードフレームを準備し、（ａ）のように前記リードフレーム２を白色で高反射率を有する白色樹脂からなる反射枠１にインサート成形してＬＥＤ装置のパッケージを形成する。その時、反射枠１には上方に向かって開いた内周面７を有するキャビティ８が設けられ、前記キャビティ８内にはリードフレーム２を底面とする円筒形状の外壁９部を有するカップ１１が形成されている。
【００４５】
次に、（ｂ）のようにそして、各円筒形状の外壁９内の底面に位置するリードフレーム２上に赤色ＬＥＤチップ３と緑色ＬＥＤチップ４とを図示止しない導電性部材を介して接着固定し、各ＬＥＤチップ３、４の下側電極とリードフレーム２とを１対１で電気的に導通させる。
【００４６】
次に（ｃ）のように一方の端部を赤色ＬＥＤチップ３と緑色ＬＥＤチップ４の夫々の上側電極に接続したボンディングワイヤ５の他の端部をリードフレーム２に接続し、各ＬＥＤチップ３、４の上側電極とリードフレーム２とを１対１で電気的に導通させる。
【００４７】
更に、（ｄ）のように、キャビティ８内及び円筒形状の外壁９で囲まれたカップ１１内に透光性樹脂６を充填して各ＬＥＤチップ３、４及びボンディングワイヤ５を封止し、同時に封止樹脂の光出射面には各ＬＥＤチップ３、４と実質的に光軸を一致させた２つの凸レンズ１０を一体に形成する。
【００４８】
図４は図３（ｃ）の上面図であり、本実施形態のＬＥＤ装置の製造工程において、キャビティ内に透光性樹脂を充填する直前の状態を示すものである。赤色ＬＥＤチップ３及び緑色ＬＥＤチップ４が夫々円筒形状の外壁９で囲まれたカップ１１内部に搭載され、各ＬＥＤチップ３、４の上側電極及び下側電極と電気的に導通されたリードフレーム２が反射枠を通して外部に導出されている。
【００４９】
なお、成形樹脂で形成するカップの外壁の形状は種々のものが考えられるが、他の実施形態として図５に示すものがある。これは、赤色ＬＥＤチップ３及び緑色ＬＥＤチップ４を独立して包囲する外壁９を一体に形成したものであり、その他の構造については上記実施形態と同様である。但し、外壁９は本発明の実施形態の詳細を表す図６（ａ）、（ｂ）の形状に限られるものではなく、各ＬＥＤチップ３、４を独立して包囲し、且つ隣接するＬＥＤチップ３、４間を所望する距離に設定できれば、ＬＥＤ装置の小型化に支障を来さない限り形状に制限はない。
【００５０】
また、本実施形態では赤色ＬＥＤチップと緑色ＬＥＤチップの２つのＬＥＤチップを実装する構成について説明したが、実装するＬＥＤチップ数は２つに限られるものではなく、本実施形態の基本構造に基づいて３つ以上の、任意に選択された光源色のＬＥＤチップを実装する構成も可能である。従って、外壁によって形成されるカップも２つに限られるものではなく、３つ以上であっても問題はない。この場合、各ＬＥＤチップから出射される光の量を選択的に制御（滅灯を含む）して混合することによって、各ＬＥＤチップの光源色及び白色光を含む実質的に全色の光を得ることができる
【００５１】
また、リードフレームが反射枠にインサート成形されたパッケージにＬＥＤチップを搭載する表面実装型ＬＥＤ装置において、ＬＥＤチップを包囲するカップを形成するには、図７（ａ）、（ｂ）に示す従来の方法と図８（ａ）、（ｂ）に示す本発明の形成方法がある。従来の方法はリードフレームをインサート成形する前に予めリードフレームにカップを形成しておく方法であり、本発明の方法はフラットな形状のリードフレームを樹脂でインサート成形するときに同時に成形樹脂によってカップを形成するものである。
【００５２】
そこで、両者のカップ間の寸法を比較すると、以下のようになる。隣接するカップの内径をＡ、肉厚をＢ、カップ間の距離をＣ、カップの中心間の距離（ＬＥＤチップを実装したときのＬＥＤチップ間の距離）をＤとすると、隣接するＬＥＤチップ間の距離Ｄは、Ｄ＝Ａ＋（Ｂ×２）＋Ｃの式で表される。
【００５３】
このとき、寸法Ａ、Ｂ及びＣに係わる条件を挙げると、Ａ及びＢについては両者共に所望する任意の寸法で実現できる。ところが、Ｃの寸法については、従来のリードフレームにカップを形成する方法では、リードフレームの板厚×（０．８以上）となるのに対し、本発明の成形樹脂によってカップを形成する方法では、リードフレームの板厚×（０．８以上）−（Ｂ×２）となる。
【００５４】
そこで、この条件を満足する隣接するＬＥＤチップ間の最短距離Ｄを比較してみると、従来の方法では、Ｄ＝Ａ＋（Ｂ×２）＋リードフレームの板厚×０．８となり、本発明の方法では、Ｄ＝Ａ＋リードフレームの板厚×０．８となる。
【００５５】
従って、従来の方法に対して本発明の方が（Ｂ×２）だけ、つまり、隣接するＬＥＤチップの間隔をカップの肉厚の２倍の距離分近づけて搭載できるようにカップを形成することができることになる。
【００５６】
また、各ＬＥＤチップから発せられる光の混色性の向上のみを目的とするならば、必ずしも上記実施形態のようなレンズを形成する必要はなく、各ＬＥＤチップ間の距離を縮めることで十分な効果を得ることができる。
【００５７】
ここで、上記結果を踏まえて本発明のＬＥＤ装置に係わる実施形態の効果について説明する。ＬＥＤ装置の用法としては、照明用として使用される場合と、表示用として使用される場合に大別される。照明用として使用される場合に求められる要件は、明るいこと、演色性（色の忠実度）に優れていることなどが挙げられる。一方、表示用としては色調の均一性、再現性などが挙げられる。
【００５８】
光源色の互いに異なる複数のＬＥＤチップを光源とするＬＥＤ装置は、光源と表示素子の両方の目的に使用されるものであり、更に、比較的小型機器に使用する場合には小型化も重要な要件の一つとなるものである。
【００５９】
そこで、光源色の互いに異なる複数のＬＥＤチップを光源とする本実施例のＬＥＤ装置では、上方に向かって開いた内周面を有するキャビティ内に形成された２つの円筒形状の外壁で包囲したカップ内にＬＥＤチップを実装することにより、夫々のＬＥＤチップから発せられてカップ内の狭い範囲内に閉じ込められた光が周囲に大きく拡散する前に光出射面となるレンズに到達するようにしている。
【００６０】
従って、各ＬＥＤチップの上方に形成された凸レンズに到達した光は狭い範囲内に存在するために比較的緩やかな集光で外部に出射される光を効率的に集めることができる。その結果、凸レンズの曲率が小さくても集光効果が十分発揮されることになり、高さの低いＬＥＤ装置を実現することができる。
【００６１】
また、隣接するカップ間の距離を従来よりも短くできるためにＬＥＤ装置の小型化が可能となり、ＬＥＤ装置を実装する機器の小型化に寄与するものである。
【００６２】
また同様に、隣接するＬＥＤチップの間隔を短くできるために、互いに異なる複数の光源色のＬＥＤチップを搭載して光源とする場合、各ＬＥＤチップから発せられる光の混合が良好に行なわれ、混色性に優れたＬＥＤ装置となるものである。
【００６３】
また、ＬＥＤチップを実装するカップの周囲に内周面をＬＥＤチップの光軸を対してＬＥＤチップの発光方向に向かって開いた傾斜面とするキャビティを設けている。その結果、円筒形状の外壁で包囲されたＬＥＤチップから発せられた光のうち、キャビティの内周面に向かった光を反射して光出射面となるレンズ方向に向けるようにしている。これにより、ＬＥＤチップから発せられた光が効率良く外部に出射されるため、光取り出し効率の高い、明るいＬＥＤ装置を実現することができる。
【００６４】
また、各ＬＥＤチップの上方に形成される凸レンズの形状を制御することにより、レンズの出射面から出射される光の集光度を自由に設定することができる。これは、ＬＥＤ装置の配光を自由に制御することが可能であることを意味する。
【００６５】
更に、カップを構成する外壁は成形時に形成する。そのため、成形金型に加工を施すことによってカップの形状を制約なく自由に設定することができる。従って、カップの形状による配光設定の自由度が大きく、ＬＥＤチップから発せられて凸レンズに至る光の配光を理想的な形で実現することができる。
【００６６】
その結果、ＬＥＤ装置を観視する距離や方向、ＬＥＤ装置で照明する物体の形状や大きさ等、ＬＥＤ装置の使用条件、使用環境を考慮した最適の配光特性を簡単に実現することができる。
【００６７】
上述のように、光源色の互いに異なる複数のＬＥＤチップを光源とした本発明のＬＥＤ装置は、照明用及び表示用の両方の用件を満たすものであり、幅広い応用分野に適応可能なものである。
【００６８】
従って、本発明のＬＥＤ装置は、民生機器の分野においては、携帯電話、デジタルカメラ、デジタルビデオカメラ、ＰＤＡ、などの比較的小型機器に表示装置として使用される液晶パネルのバックライト光源、携帯電話等の携帯機器のストロボ光源、各種情報表示板用光源、各種インジケータ用光源として、車載用機器の分野においては、車載用機器に表示装置として使用される液晶パネルのバックライト光源、各種インジケータ用光源として
広範囲の分野に活用できる。
【図面の簡単な説明】
【００６９】
【図１】本発明のＬＥＤ装置に係わる実施形態を示す上面図である。
【図２】図１のＡ−Ａ断面図である。
【図３】本発明のＬＥＤ装置に係わる実施形態の製造工程図である。
【図４】本発明のＬＥＤ装置に係わる実施形態の製造工程途中の状態を示す上面図である。
【図５】本発明のＬＥＤ装置に係わる他の実施形態を示す上面図である。
【図６】（ａ）は本発明のＬＥＤ装置に係わる実施形態の外壁部を示す部分上面図、（ｂ）は本発明のＬＥＤ装置に係わる他の実施形態の外壁部を示す部分上面図である。
【図７】（ａ）は従来のＬＥＤ装置のリードフレームに形成されたカップ部を示す部分上面図、（ｂ）は（ａ）のＡ−Ａ断面図である。
【図８】（ａ）は本発明のＬＥＤ装置に係わる実施形態の外壁部を示す部分上面図、（ｂ）は（ａ）のＡ−Ａ断面図である。
【図９】従来のＬＥＤ装置を示す斜視図である。
【図１０】従来の他のＬＥＤ装置を示す断面図である。
【図１１】同じく、従来の他のＬＥＤ装置を示す断面図である。
【符号の説明】
【００７０】
１    反射枠
２    リードフレーム
３    赤色ＬＥＤチップ
４    緑色ＬＥＤチップ
５    ボンディングワイヤ
６    透光性樹脂
７    内周面
８    キャビティ
９    外壁
１０    レンズ
１１    カップ
【図１】
2006093435.tif 000003
【図２】
2006093435.tif 000004
【図３】
2006093435.tif 000005
【図４】
2006093435.tif 000006
【図５】
2006093435.tif 000007
【図６】
2006093435.tif 000008
【図７】
2006093435.tif 000009
【図８】
2006093435.tif 000010
【図９】
2006093435.tif 000011
【図１０】
2006093435.tif 000012
【図１１】
2006093435.tif 000013